(57)【要約】      （修正有）【課題】薄型で且つ形状が電子装置のフロントケースに対応する保護シートを提供する。【解決手段】電子装置１０のための保護シート２０であって、電子装置１０は、リアケース１２、リアケース１２に対向するフロントケース１１、及び、リアケース１２とフロントケース１１との間に設けられた外周壁を含み、フロントケース１１に表示スクリーンが設けられており、保護シート２０が粘着層３０を介してフロントケース１１上に固定されるとともに、フロントケース１１と保護シート２０との間の空隙全体が粘着層３０によって埋められ、更に、フロントケース１１と粘着層３０との間に透明フィルムが設けられている。【選択図】図３
0003216273.tif 000002
【実用新案登録請求の範囲】
【請求項１】
電子装置のための保護シートであって、前記電子装置は、リアケース、前記リアケースに対向するフロントケース、及び、前記リアケースと前記フロントケースとの間に設けられた外周壁を含み、前記フロントケースに表示スクリーンが設けられており、前記保護シートが粘着層を介して前記フロントケース上に固定されるとともに、前記フロントケースと前記保護シートとの間の空隙全体が前記粘着層によって埋められ、更に、前記フロントケースと前記粘着層との間に透明フィルムが設けられている、ことを特徴とする電子装置のための保護シート。
【請求項２】
前記保護シートと、前記フロントケースとは、互いに対応する形状を有している、ことを特徴とする請求項１に記載の電子装置のための保護シート。
【請求項３】
前記フロントケースの周囲は、折曲して円弧を形成するとともに、前記外周壁に近づくように延びることで、円弧エッジが形成されており、前記保護シートの外周辺は、前記フロントケースの前記円弧エッジに対応するように円弧状を呈している、ことを特徴とする請求項１に記載の電子装置のための保護シート。
【請求項４】
前記粘着層の材料には、紫外線硬化型粘着剤が含まれている、ことを特徴とする請求項１に記載の電子装置のための保護シート。
【請求項５】
前記保護シートは、一体成形された透明硬質板である、ことを特徴とする請求項１に記載の電子装置のための保護シート。
【考案の詳細な説明】
【技術分野】
【０００１】
本開示は、保護シートに関し、特に、電子装置のための保護シートに関する。
【背景技術】
【０００２】
科学技術及び通信技術の進歩につれ、携帯型電子装置は、既に、現代人の生活に不可欠且つ重要な身の回り品の１つになっている。よく見かける携帯型電子装置には、携帯電話、タブレットＰＣ、カメラ、ナビゲーション装置等が含まれている。一般的に、電子装置が落ちてしまうことや衝突してしまうことによる損傷を防止するために、使用者は、通常、携帯型電子装置の表面に保護シートを付設することで、携帯型電子装置のスクリーンが傷ついたり、衝突で割れたりしてしまうことを防止するようにしている。
【０００３】
図１、図２及び図３を参照されたい。図１は、従来の保護シート２０と電子装置１０との斜視組立模式図を示し、図２は、図１の保護シート２０と電子装置１０との組立後の正面模式図を示し、図３は、図２のＡ−Ａ断線に沿った断面図を示す。電子装置１０は、フロントケース１１及びリアケース１２を含み、フロントケース１１に表示スクリーンが設けられている。保護シート２０は、その一方側に、保護シート２０を電子装置１０のフロントケース１１に固定するための粘着層３０を有している。
【０００４】
図３に示すように、フロントケース１１の周囲は、折曲して円弧エッジが形成されている。しかしながら、保護シート２０が平坦な透明硬質板になっているため、保護シート２０がフロントケース１１の上に覆われると、保護シート２０の周囲とフロントケース１１の周囲とは、距離Ｄ１離れるようになる。つまり、従来の保護シート２０は、フロントケース１１の円弧エッジまで保護することができない。また、加工上の制限の原因で、粘着層３０を予め保護シート２０の一方側に設けておこうとすると、保護シート２０にある程度の厚みを持たせなければならないので、保護シート２０は、薄型化という目的が達成し難い。
【０００５】
上記に鑑みて、従来技術に存在している問題点を解決するための保護シートを提供する必要がある。
【考案の概要】
【０００６】
上記技術的問題を解决するために、本開示は、特定の手法で粘着層を形成する保護シート、及び、薄型で且つ形状が電子装置のフロントケースに対応する保護シートを提供することで、従来技術の保護シートでは、十分な保護効果を奏せず、薄型化も実現し難いという問題を解決することを目的とする。
【０００７】
上記目的を達成するために、本開示は、電子装置のための保護シートを提供し、前記電子装置は、リアケース、前記リアケースに対向するフロントケース、及び、前記リアケースと前記フロントケースとの間に設けられた外周壁を含み、前記フロントケースに表示スクリーンが設けられており、前記保護シートが粘着層を介して前記フロントケース上に固定されるとともに、前記フロントケースと前記保護シートとの間の空隙全体が前記粘着層によって埋められ、更に、前記フロントケースと前記粘着層との間に透明フィルムが設けられている。
【０００８】
本開示のある好ましい実施形態において、前記保護シートと、前記フロントケースとは、互いに対応する形状を有している。
【０００９】
本開示のある好ましい実施形態において、前記フロントケースの周囲は、折曲して円弧を形成するとともに、前記外周壁に近づくように延びることで、円弧エッジが形成されており、前記保護シートの外周辺は、前記フロントケースの前記円弧エッジに対応するように円弧状を呈している。
【００１０】
本開示のある好ましい実施形態において、前記粘着層の材料には、紫外線硬化型粘着剤が含まれている。
【００１１】
本開示のある好ましい実施形態において、前記保護シートは、一体成形された透明硬質板である。
【００１２】
従来技術に比べて、本開示は、特定の手法で粘着層を形成しており、また、薄型で且つ形状が電子装置のフロントケースに対応する保護シートを提供しており、そして、粘着層によって保護シートとフロントケースとの間の空隙を埋め、保護シートによって電子装置のフロントケースの全体をまんべんなく保護して、傷つき防止及び衝突防止に十分な効果を奏することができる。更に、粘着層と保護シートとは、それぞれ独立に形成されているため、保護シートは、加工上の制限を受けることがなく、比較的薄型に形成可能である。
【図面の簡単な説明】
【００１３】
【図１】図１は、従来の保護シートと電子装置との斜視組立模式図を示すものである。
【図２】図２は、図１の保護シートと電子装置との組立後の正面模式図を示すものである。
【図３】図３は、図２のＡ−Ａ断線に沿った断面図を示すものである。
【図４−６】図４-図６は、一連の斜視図及び平面図であり、本開示の好ましい実施例による保護シートを電子装置上に固定する方法の流れを示す模式図である。
【図７】図７は、図６のＢ−Ｂ断線に沿った断面図を示すものである。
【図８】図８は、図７のＣ部分の拡大模式図を示すものである。
【考案を実施するための形態】
【００１４】
本開示の上記及びその他の目的、特徴、利点をより明白且つ分かりやすくするために、以下、本開示の好ましい実施例を挙げ、図面を参照して次の通りに詳しく説明する。
【００１５】
図４〜図６を参照されたい。図４〜図６は、一連の斜視図及び平面図であり、本開示の好ましい実施例による保護シート２００を電子装置１００上に固定する方法の流れを示す図面である。電子装置１００は、リアケース１２０（図７参照）、フロントケース１１０、及び、外周壁１３０を含む。フロントケース１１０は、リアケース１２０に対向しており、外周壁１３０は、リアケース１２０とフロントケース１１０との間に設けられている。フロントケース１１０には、表示スクリーン、スピーカ開孔部１４０、及び、キー１５０が設けられている。言うまでもなく、電子装置１００には、様々な携帯型電子装置、例えば携帯電話、ノート型ＰＣ、タブレットＰＣ、カメラ、ナビゲーション装置等が含まれている。
【００１６】
先ず、図４に示すように、電子装置１００のフロントケース１１０に透明フィルム４００を被覆する。透明フィルム４００は、良い被覆効果を奏するために、フレキシブルな材質より形成されている。そして、透明フィルム４００が粘性材料を介して電子装置１００のフロントケース１１０に貼り付いて固定できるように、透明フィルム４００の一面には、粘性材料が設けられている。本実施例においては、透明フィルム４００は、フロントケース１１０の外表面を全面的に被覆しており、つまり、透明フィルム４００は、スピーカ開孔部１４０及びキー１５０まで被覆するようになっている。
【００１７】
次に、図５に示すように、透明フィルム４００上に保護シート２００を設ける。保護シート２００は、一体成形された透明硬質板（例えば、ガラス又はアクリルプラスチックからなる透明硬質板）であり、保護シート２００と、フロントケース１１０とは、互いに対応する形状を有している。より明確に言うと、保護シート２００上には、スピーカ開孔部１４０に対応する第一開孔部２１０、及び、キー１５０に対応する第二開孔部２２０が設けられている。そして、フロントケース１１０の周囲は、折曲して円弧を形成するとともに、外周壁１３０に近づくように延びることで、円弧エッジが形成されており、保護シート２００の外周辺も、フロントケース１１０の前記円弧エッジに対応するように円弧状を呈しており、こうして、保護シート２００が電子装置１００上に組み立てられると、保護シート２００が電子装置１００のフロントケース１１０の全体をまんべんなく保護でき、特に、フロントケース１１０の前記円弧エッジまで保護でき、傷つき防止及び衝突防止に十分な効果を奏することができる。
【００１８】
図５に示すように、保護シート２００は、特定の手法で透明フィルム４００上に粘着層３００を形成してから、粘着層３００を介して透明フィルム４００上に固定される。具体的には、保護シート２００を透明フィルム４００上に固定する方法は、下記のステップを含む。
【００１９】
先ず、図５に示すように、粘着剤を用いて透明フィルム４００の中心に、横パターン３１１及び縦パターン３１２からなる十字形パターン（図５に示す破線）を描き出す。十字形パターンの横パターン３１１は、フロントケース１１０の両短辺に平行するとともに、フロントケース１１０の両長辺に接している。そして、十字形パターンの縦パターン３１２は、フロントケース１１０の前記両長辺に平行し、縦パターン３１２の両端は、フロントケース１１０の前記両短辺と、それぞれ距離Ｄ２離れている。好ましくは、縦パターン３１２とフロントケース１１０の前記短辺との間の距離Ｄ２は、フロントケース１１０の前記長辺の五分の一の長さに等しい。
【００２０】
次に、図５に示すように、粘着剤を用いて、十字形パターンの横パターン３１１を対称軸として、透明フィルム４００に対称となる一対の弧状パターン３１３及び３１４（図５に示す破線）を描き出して、弧状パターン３１３及び３１４の頂点が十字形パターンの縦パターン３１２の一端に位置し、弧状パターン３１３及び３１４の両端点がそれぞれフロントケース１１０の対応する短辺の両端に位置し、つまり、弧状パターン３１３及び３１４の両端点がそれぞれ電子装置１００の四隅に対応するようにする。
【００２１】
次に、パターン化された粘着剤を適切な器具で平らに広げて、全面的に透明フィルム４００を覆うようにすることで、透明フィルム４００上に粘着層３００を形成する。
【００２２】
次に、粘着層３００を介して、保護シート２００を透明フィルム４００上に固定する。好ましくは、粘着層３００の材料には、紫外線硬化型粘着剤が含まれている。この場合、保護シート２００を透明フィルム４００上に固定するステップは、保護シート２００を粘着層３００の上に置き、紫外線で電子装置１００の正面を照射して、粘着層３００を硬化させることで、保護シート２００を透明フィルム４００上に固定するということになる。
【００２３】
図５に示すように、透明フィルム４００のサイズは、フロントケース１１０のサイズよりも大きくなる。より明確に言うと、透明フィルム４００が電子装置１００上に被覆されると、透明フィルム４００は、フロントケース１１０をまんべんなく被覆するだけではなく、透明フィルム４００の境界４０１もフロントケース１１０の境界１１１を超えるようになる。つまり、透明フィルム４００の境界４０１は、外周壁１３０上に位置するようになる。
【００２４】
次に、図６に示すように、保護シート２００を透明フィルム４００上に固定した後、保護シート２００上の第一開孔部２１０及び第二開孔部２２０を通じて、スピーカ開孔部１４０及びキー１５０の位置に被覆されている透明フィルム４００を除去して、電子装置が正常に操作可能であることを確保する。そして、透明フィルム４００の境界４０１とフロントケース１１０の境界１１１とが整合するように、透明フィルム４００のサイズに対して適切な裁断を行う。本開示においては、粘着剤の塗布前に大きいサイズの透明フィルム４００を設けるとともに、粘着剤の塗布後に透明フィルム４００のサイズに対して適切な裁断を行うようにすることで、粘着剤の塗布時にはみ出た粘着剤の電子装置１００の外周壁１３０上への付着がないことを確保できる。
【００２５】
図７及び図８を参照されたい。図７は、図６のＢ−Ｂ断線に沿った断面図を示し、図８は、図７のＣ部分の拡大模式図を示す。本開示の粘着剤塗布手法によれば、広げられた粘着剤により均一且つ平らな分布を持たせ、更にその後の保護シート２００とフロントケース１１０との間の密着度を向上させることができる。従って、図８に示すように、粘着層３００は、保護シート２００とフロントケース１１０との間の空隙全体を埋めることができる。
【００２６】
以上を纏めると、本開示は、特定の手法で粘着層を形成しており、また、薄型で且つ形状が電子装置のフロントケースに対応する保護シートを提供しており、そして、粘着層によって保護シートとフロントケースとの間の空隙を埋め、保護シートによって電子装置のフロントケースの全体をまんべんなく保護して、傷つき防止及び衝突防止に十分な効果を奏することができる。更に、粘着層と保護シートとは、それぞれ独立に形成されているため、保護シートは、加工上の制限を受けることがなく、比較的薄型に形成可能である
【００２７】
好ましい実施例で本開示を上記の通りに説明したが、本開示を限定するためのものではない。当業者は、本開示の精神及び範囲を逸脱することなく様々な変更や修正を加えることが可能であるため、本開示の保護範囲は、本願の請求の範囲により規定されるものに準じるべきである。
【符号の説明】
【００２８】
１０、１００    電子装置
１１、１１０    フロントケース
１２、１２０    リアケース
１３０    外周壁
１４０    スピーカ開孔部
１５０    キー
２０、２００    保護シート
２１０    第一開孔部
２２０    第二開孔部
３０、３００    粘着層
３１１    横パターン
３１２    縦パターン
３１３、３１４    弧状パターン
４００    透明フィルム
Ｄ１、Ｄ２    距離
Ａ−Ａ、Ｂ−Ｂ    断線
Ｃ    図７の対応部分
１１１、４０１    境界
【図１】
0003216273.tif 000003
【図２】
0003216273.tif 000004
【図３】
0003216273.tif 000005
【図４】
0003216273.tif 000006
【図５】
0003216273.tif 000007
【図６】
0003216273.tif 000008
【図７】
0003216273.tif 000009
【図８】
0003216273.tif 000010